(57)【要約】      （修正有）【課題】多段式の椅子背凭れ構造を提供する。【解決手段】椅子フレーム１は、下端部に椅子着座部に結合されるＬ字状に折り曲げた連結フレーム１ａと、上向きに形成されたフレーム支柱１１を有し、フレーム支柱の各先端部には椅子背板２の横連結材２２と連結する際の上下方向の高さ調整を行う複数の孔１２が形成されており、椅子背板は、枠体の中央開口に網面２１を張設し、横連結材の中間部には、分離可能な化粧外蓋２４を備えた連結部材２３が固定されており、連結部材には弾性部材２５の一端が連結され、かつ両端にはフレーム支柱の先端が貫通する係合管２６を有しており、腰板３は網面を有する枠体で構成され椅子背板の下端部と揺動自在に枢支されており、頭部支持部４は、網面を有する枠体で構成され、後端の枢着部材４２には弾性フレーム部材４３が連結され、弾性フレーム部材はスリーブ４４の支柱４４ａに上下方向の伸縮が可能に連結される構成とした。【選択図】図１
0003108001.tif 000002
【実用新案登録請求の範囲】
【請求項１】
多段式の椅子背凭れ構造に関するものであって、椅子着座部に一端が連結される椅子フレームと、前記椅子フレームに連結される椅子背板と、前記椅子背板の下端部に枢支された腰板及び前記椅子フレームに下端が連結される頭部支持部とからなり、
前記椅子フレームは、下端部に椅子着座部に結合されるＬ字状に折り曲げた連結フレームと、左右両側より上向きに延伸して形成されたフレーム支柱を有し、前記フレーム支柱の各先端部にはそれぞれ前記椅子背板の横連結材と連結する際の上下方向の高さ調整を行う複数の孔が形成されており、
前記椅子背板は、枠体で形成され、枠体の中央開口には柔軟性を有する素材で編織した網面２１を張設し、人体の背部形状に対応して変形が可能な凭れ部分が形成され、左右背面側間に設けられた横連結材の中間部には、分離可能な化粧外蓋を備えた連結部材が固定されており、該連結部材には弾性部材の一端が連結され、かつ両端には前記フレーム支柱の先端が貫通する係合管を有しており、
前記腰板は、人体の腰部に対応して、凭れることができる開口部に網面を有する枠体で構成され、枠体の上端部が前記椅子背板の下端部と揺動自在に枢支されており、
前記頭部支持部は、人体の頭部に対応する開口部に網面を有する枠体で構成され、後端の枢着部材には弾性フレーム部材が連結され、該弾性フレーム部材はスリーブの支柱に上下方向の伸縮が可能に連結されると共に、前記スリーブは前記椅子背板の横連結材の係合管に貫通したフレーム支柱と連結固定されるようになっていることを特徴とする多段式の椅子背凭れ構造。
【考案の詳細な説明】
【技術分野】
【０００１】
本考案は、多段式の椅子背凭れ構造に関するものであって、椅子フレームに、背板を結合装着した後に頭部支持部の弾性フレーム部材を固設し、背凭れ板の下方には腰板を揺動自在に枢設し、前記腰板下端部は、椅子背板後方に連結された弾性部材に支承され、また、前記弾性フレーム部材に装着された頭部支持部は、可動自在に設けられており、前記頭部支持部及び腰板は共に使用者の凭れる力によって、角度変更が可能となる弾力的に支承する緩衝効果を有する使用者に心地よい凭れ効果を発揮する多段式の椅子背凭れ構造を提供する。
【背景技術】
【０００２】
仕事の能率を上げるために、オフィス家具である椅子は、安全、便利、快適さが求められる。オフィスで使用される椅子の設計にあっては、大部分は椅子の背凭れに重点を有し、背凭れ部分の硬度（密度）を改善するために発泡スチロールが用いられていると共に、人間工学的形状を考慮して、各種対応する曲線を有する設計をしており、使用者が椅子に凭れる時、好ましい支承効果を有して、快適な凭れ具合を発揮するようにしている。
しかし、椅子を使用する使用者の身長や体重は、それぞれ各人異なる体型なので、標準化されたオフィス家具は、各人それぞれに対応する最適な効果を達成することができない。更には、完全に椅子に凭れるために、使用者は椅子の湾曲度に応じて、自分の体を伸ばしたり、腰を曲げたりして調節するので、姿勢が悪くなり、人間工学的設計によるオフィス家具は形式上の形状となっている。
【考案の開示】
【考案が解決しようとする課題】
【０００３】
本考案は、多段式の椅子背凭れ構造を提供し、上述の問題を改善することを目的とする。
【課題を解決するための手段】
【０００４】
本考案は、多段式の椅子背凭れ構造に関するものであって、椅子着座部に一端が連結される椅子フレームと、前記椅子フレームに連結される椅子背板と、前記椅子背板の下端部に枢支された腰板及び前記椅子フレームに下端が連結される頭部支持部とからなり、前記椅子フレームは、下端部に椅子着座部に結合されるＬ字状に折り曲げた連結フレームと、左右両側より上向きに延伸して形成されたフレーム支柱を有し、前記フレーム支柱の各先端部にはそれぞれ前記椅子背板の横連結材と連結する際の位置決め固定を行う複数の孔が形成されており、前記椅子背板は、枠体で形成され、枠体の中央開口には柔軟性を有する素材で編織した網面２１を張設し、人体の背部形状に対応して変形が可能な凭れ部分が形成され、左右背面側には横連結材が設けられており、該横連結材の中間部には、分離可能な化粧外蓋を備えた連結部材が固定されており、該連結部材には弾性部材の一端が連結され、かつ両端には前記フレーム支柱の先端が貫通する係合管を有してなり、前記腰板は、人体の腰部に対応して、凭れることができる開口部に網面を有する枠体で構成され、枠体の上端部が前記椅子背板の下端部と揺動自在に枢支されており、前記頭部支持部は、人体の頭部に対応する開口部に網面を有する枠体で構成され、後端の枢着部材には弾性フレーム部材が連結され、該弾性フレーム部材はスリーブの支柱に上下方向の伸縮が可能に連結されると共に、前記スリーブは前記椅子背板２の横連結材の係合管に貫通したフレーム支柱と連結固定されるようになっていることを特徴とする。
【考案の効果】
【０００５】
１）本考案の椅子背板下端部には、腰板を枢設し、腰板下端は、椅子背板後方に連結された弾性部材による支承を受けるため、腰板は押圧力を受けて、角度を偏転し、前後の揺動を行って緩衝する特性を有するので、腰部の高さ位置、および凭れる力がそれぞれ異なる使用者に対応して、それぞれの支承効果を発揮し、椅子使用における快適性を向上させ、疲労感を減少させる効果がある。
２）本考案の頭部支持部は、弾性フレーム部材をスリーブの支柱を介して椅子フレームのフレーム支柱の先端と連結固定してあり、また、頭部支持部と弾性フレーム部材間は、枢着部材を介して連結した可動設計を採用したので、使用者の座高に合わせて高度調整を可能とすることができ、使用者の使用時における頭部仰視角度に応じた移動角度に対応できる。これにより、本考案の多段式の椅子背凭れ構造は、異なる体型の使用者の要求に適応し、従来製品の隘路となっている問題点を改善することができる効果がある。
【考案を実施するための最良の形態】
【０００６】
以下、添付図面を参照して本考案の好適な実施形態を詳細に説明する。
【実施例】
【０００７】
図１〜図５は本考案の多段式の椅子背凭れ構造の一実施例を示すもので、図１は背凭れ部分を分解して示す分解斜視図、図２及び図３は要部の分解拡大斜視図、図４は本考案の多段式の椅子背凭れ構造を組み立てた状態に全体斜視図、図５は使用時における動作説明を示す側面図である。
【０００８】
本考案の多段式の椅子背凭れ構造は、図１で示されるように、椅子フレーム１と、椅子背板２と、腰板３及び頭部支持部４とから構成される。
前記椅子フレーム１は、図示しない椅子着座部に結合されるＬ字状に折り曲げた一対の連結フレーム１ａ，１ａと、該連結フレーム１ａ，１ａが固定される底座１ｂの左右両側より上向きに延伸して形成されたフレーム支柱１１，１１を有し、前記フレーム支柱１１，１１の各先端部にはそれぞれ前記椅子背板２の横連結材２２と連結する際の高さ調整の位置決めを行う複数の孔１２が形成されている。
【０００９】
前記椅子背板２は、全体がほぼ矩形状の枠体２ａで形成され、枠体の中央開口には柔軟性を有する竹、籐、プラスチック或いは金属細線で編織した網面２１を張設し、人体の背部形状に対応して変形が可能な凭れ部分が形成されたものである。
【００１０】
前記枠体２ａの下端近傍の左右背面側には横連結材２２が連結されている。そして、前記横連結材２２の中間部には、分離可能な化粧外蓋２４を備えた、円形状の連結部材２３が固定されるようになっており、該連結部材２３には後述の弾性部材２５が連結されるようになっている。前記横連結材２２の中間部に配設される円形状の連結部材２３は、図２でよく示されるように、ねじ２２１で、横連結材２２中央取付部に形成した貫通孔２２２を介して、連結部材２３のねじ孔２３１に固定される。また、前記連結部材２３の開口側には化粧外蓋２４が固定される。前記化粧外蓋２４の前記連結部材２３への固定は、前記連結部材２３に設けた固定孔２３３に前記化粧外蓋２４に形成した固定ピン２４１を嵌合させることで、取り付けるようになっている。
【００１１】
さらに、前記連結部材２３の下面中央には、前記腰板３の横架部材３２に一端が固定された弾性部材２５の先端部が設置される開孔を有し、前記前記連結部材２３及び前記弾性部材２５に形成したねじ穴２３２，２５２を介してねじ２５１によって互いに固定されるようになっている。更にまた、前記横連結材２２左右両端には上下方向に開孔を有する係合管２６を有し、該係合管２６の底面側から前記フレーム支柱１１，１１の先端が貫通し、前記フレーム支柱１１，１１の先端部が前記頭部支持部４のスリーブ４４の下端部と嵌合連結されるようになっている。
なお、前記弾性部材２５は、プラスチックで被覆した鋼材等の金属材料を採用し、弾性力を増加し、プラスチック表面は、ウェーブ面を有して、弾性効果を向上したものである。
【００１２】
前記腰板３は、全体がほぼ長方形状の枠体３ａで形成され、枠体３ａの中央開口には柔軟性を有する竹、籐、プラスチック或いは金属細線で編織した網面３１を張設し、人体の腰部形状に対応して変形が可能な凭れ部分が形成されたものである。前記腰板３は、図３によく示されるように、前記椅子背板２の枠体２ａ下部及び腰板枠体３ａにそれぞれ形成した左右方向に貫通孔を有する連結突起２ｂ，３ｂに貫通する枢支ピン３２により揺動可能に枢支される。
【００１３】
前記頭部支持部４は、全体が前記椅子背板２、腰板３の形状よりも小さくほぼ長方形状の枠体４ａで形成され、枠体４ａの中央開口には柔軟性を有する竹、籐、プラスチック或いは金属細線で編織した網面４１を張設し、人体の頭部形状に対応して変形が可能な凭れ部分が形成されたものである。前記前記頭部支持部４は、枠体４ａの後側の左右中央部に設けた横架部材４４に中央部に設けた枢着部材４２にほぼ逆Ｌ字状の弾性フレーム部材４３の一端を連結し、他端をスリーブ４４の支柱４４ａに嵌合連結し、左右二股に分かれた前記スリーブ４４の下端部はそれぞれ前記横連結材２２の係合管２６を貫通した前記フレーム支柱１１，１１の各先端部が連結されるようになっている。
【００１４】
以上のように構成された本考案の多段式の椅子背凭れ構造の組み立てにおいては、まず、椅子フレーム１のフレーム支柱１１，１１の先端を、前記椅子背板２の係合管２６貫通させて突出させて複数の孔１２にピンを挿入して係止し、更に、腰板３を前記椅子背板２の枠体２ａ下部に連結突起２ｂ，３ｂに貫通する枢支ピン３２により揺動可能に枢支し、次に前記腰板３の横架部材３２に弾性部材２５の一端を枢支し、他端部を前記連結部材２３及び前記弾性部材２５に形成したねじ穴２３２，２５２を介してねじ２５１によって互いに固定される。そして、最後に前記係合管２６より貫通突出した椅子フレーム１のフレーム支柱１１，１１の先端と前記頭部支持部４のスリーブ４４に嵌合連結して背凭れが構成される（図４、図５で示される）。
【００１５】
本考案の多段式の椅子背凭れ構造の使用にあっては、椅子フレーム１の連結フレーム１ａ，１ａを椅子着座部に結合して椅子に組み立て、椅子背板２の係合管２６に貫通する支柱フレーム１１，１１の上部（先端）側に形成した複数の孔１２位置に対応して、高さ位置を調整することができると共に、頭部支持部４の弾性フレーム部材４３も、スリーブ４４の支柱部４４ａとの間で上下方向に伸縮調整が可能であり、背板２及び頭部支持部４は、使用者の体型に合わせて調整できる。
【００１６】
使用者が椅子に腰掛けて背凭れに凭れたときは、椅子背板２の網面が背中部を支承すると共に、腰板３も、使用者の腰部の凭れる力により、弾性部材２５を経て緩衝力を備え、腰板３は背板２に相対し、前後に角度を偏倚できるので、腰部の高さの違いや凭れる力により、それに合った支承効果を提供することができる。
また、頭部支持部４の部分は、弾性フレーム部材４３及び枢着部材４２の構造を有し、使用者の使用時の頭部仰視角度に応じて支承摺るようになっている。よって、本考案の多段式の椅子背凭れ構造は、各種異なる体型の使用者の需要に符合し、快適性を向上し、疲労感を減少させることができる。
【００１７】
本考案では好ましい実施例を前述の通り開示したが、これらは決して本考案に限定するものではなく、当該技術を熟知する者なら誰でも、本考案の精神と領域を脱しない範囲内で各種の改良や変更を加えることができるものであり、本考案の実用新案登録請求の範囲に記載された内容はすべて本考案の権利範囲に属するものである。
【図面の簡単な説明】
【００１８】
【図１】本考案の多段式の椅子背凭れ構造の一実施例を示すもので、背凭れ部分を分解して示す分解斜視図
【図２】図１の要部の分解拡大斜視図、
【図３】図１の要部の分解拡大斜視図、
【図４】本考案の多段式の椅子背凭れ構造を組み立てた状態に全体斜視図、
【図５】使用時における動作説明を示す側面図である。
【符号の説明】
【００１９】
１…椅子フレーム
１１…支柱フレーム
１２…孔
２…椅子背板
２１…網面
２２…横連結材
２２１…ねじ
２２２…貫通孔
２３…連結部材
２３１…ねじ孔
２３２…ねじ孔
２３３…固定孔
２４…外蓋
２４１…棒
２５…弾性部材
２５１…ねじ
２５２…ねじ孔
２６…係合管
３…腰板
３１…網面
３２…枢支ピン
３３…枢着部材
４…頭部支持部
４１…網面
４２…枢着部材
４３…弾性フレーム部材
４４…スリーブ
【図１】
0003108001.tif 000003
【図２】
0003108001.tif 000004
【図３】
0003108001.tif 000005
【図４】
0003108001.tif 000006
【図５】
0003108001.tif 000007